(57)【要約】 【課題】  パラメータ変更の操作性が良く、素早くかつ簡単にパラメータ変更設定の操作をすること。【解決手段】  パラメータを表示画面上に表示する表示部と、オペレータの視線方向を検出する視線検出部と、前記視線検出部により検出される前記視線方向に応じた前記表示画面上の視点位置を取得し、前記パラメータの表示位置を前記視点位置に合わせて配置し続けて前記パラメータを変更するパラメータ変更部とを具備するパラメータ変更装置である。【選択図】図１
2015049544.tif 000002
【特許請求の範囲】
【請求項１】
パラメータを表示画面上に表示する表示部と、
オペレータの視線方向を検出する視線検出部と、
前記視線検出部により検出される前記視線方向に応じた前記表示画面上の視点位置を取得し、前記パラメータの表示位置を前記視点位置に合わせて配置し続けて前記パラメータを変更するパラメータ変更部と、
を具備することを特徴とするパラメータ変更装置。
【請求項２】
前記パラメータ変更部は、前記取得される前記視点位置の移動に追従させて前記パラメータを移動させるドラッグ状態を維持し、当該ドラッグ状態において前記視点位置に応じて前記パラメータを変更することを特徴とする請求項１に記載のパラメータ変更装置。
【請求項３】
前記パラメータ変更部は、前記表示画面上に、前記パラメータを含む第１の表示領域と、前記パラメータの変更を可能な状態にするための第２の表示領域とを表示し、
前記視点位置が前記第１の表示領域内から移動して前記第２の表示領域内にあるか否か判定し、前記視点位置が前記第２の表示領域内であれば、前記パラメータを変更するための変更表示領域を表示し、当該変更表示領域内での前記視点位置の移動により前記パラメータを変更する、
ことを特徴とする請求項１又は２に記載のパラメータ変更装置。
【請求項４】
前記変更表示領域は、前記パラメータを少なくとも増減するための領域を含み、
前記パラメータ変更部は、当該領域に前記視点位置が存在し続けると、前記パラメータを増減する、
ことを特徴とする請求項３に記載のパラメータ変更装置。
【請求項５】
前記視点位置が前記第１の表示領域内から前記第２の表示領域内に移動する際、前記パラメータ変更部は、前記視点位置が前記第１の表示領域内に所定期間以上あれば、当該第１の表示領域内の前記パラメータの表示形態を変更することを特徴とする請求項３に記載のパラメータ変更装置。
【請求項６】
前記パラメータ変更部は、前記変更表示領域内に、複数の一連の前記パラメータを一覧表示し、かつ前記パラメータを少なくとも増減するための領域を含み、前記視点位置が当該領域内に移動することにより前記複数のパラメータを連動して移動して増減表示し、前記一覧表示される前記複数のパラメータ中から前記視点位置に該当する前記パラメータを選択することを特徴とする請求項３に記載のパラメータ変更装置。
【請求項７】
前記パラメータ変更部は、座標軸の座標値を前記パラメータ変更のための数値とする数値変更領域を表示し、前記オペレータの前記視点位置の移動に合わせて前記パラメータが前記数値変更領域内に移動すると、前記視点位置に対応する座標値を前記パラメータの数値として変更することを特徴とする請求項３に記載のパラメータ変更装置。
【請求項８】
パラメータを表示部の表示画面上に表示し、
オペレータの視線方向を視線検出部により検出し、
前記視線検出部により検出される前記視線方向に応じた前記表示画面上の視点位置を取得し、
前記パラメータの表示位置を前記視点位置に合わせて配置し続けて前記パラメータを変更する、
ことを特徴とするパラメータ変更方法。
【請求項９】
前記パラメータの変更は、前記取得される前記視点位置の移動に追従させて前記パラメータを移動させるドラッグ状態を維持し、当該ドラッグ状態において前記視点位置に応じて前記パラメータを変更することを特徴とする請求項８に記載のパラメータ変更方法。
【請求項１０】
前記パラメータの変更は、前記表示画面上に、前記パラメータを含む第１の表示領域と、前記パラメータの変更を可能な状態にするための第２の表示領域とを表示し、
前記視点位置が前記第１の表示領域内から移動して前記第２の表示領域内にあるか否か判定し、前記視点位置が前記第２の表示領域内であれば、前記パラメータを変更するための変更表示領域を表示し、当該変更表示領域内での前記視点位置の移動により前記パラメータを変更する、
ことを特徴とする請求項８又は９に記載のパラメータ変更方法。
【請求項１１】
前記変更表示領域は、前記パラメータを少なくとも増減するための領域を含み、
前記パラメータの変更は、当該領域に前記視点位置が存在し続けると、前記パラメータを増減する、
ことを特徴とする請求項１０に記載のパラメータ変更方法。
【請求項１２】
前記視点位置が前記第１の表示領域内から前記第２の表示領域内に移動する際、前記パラメータの変更は、前記視点位置が前記第１の表示領域内に所定期間以上あれば、当該第１の表示領域内の前記パラメータの表示形態を変更することを特徴とする請求項１０に記載のパラメータ変更方法。
【請求項１３】
前記パラメータの変更は、前記変更表示領域内に、複数の一連の前記パラメータを一覧表示し、かつ前記パラメータを少なくとも増減するための領域を含み、前記視点位置が当該領域内に移動することにより前記複数のパラメータを連動して移動して増減表示し、前記一覧表示される前記複数のパラメータ中から前記視点位置に該当する前記パラメータを選択することを特徴とする請求項１０に記載のパラメータ変更方法。
【請求項１４】
前記パラメータの変更は、座標軸の座標値を前記パラメータ変更のための数値とする数値変更領域を表示し、前記オペレータの前記視点位置の移動に合わせて前記パラメータが前記数値変更領域内に移動すると、前記視点位置に対応する座標値を前記パラメータの数値として変更することを特徴とする請求項１０に記載のパラメータ変更方法。
【発明の詳細な説明】
【技術分野】
【０００１】
本発明は、オペレータの視線の移動を検出することによって各種パラメータを変更するパラメータ変更装置及び方法に関する。
【背景技術】
【０００２】
各種工業製品や設備、プラントに至るまで、当該製品等には、それぞれ各種パラメータが設定されている。これらパラメータは、製品等の使用状況、運用等によって変更されるのが一般的である。この中でも各種パラメータの変更をオペレータの視線の移動を検出することによって行う技術がある。この技術を適用した製品として例えば撮像装置を例に挙げて説明すると、例えば特許文献１がある。
【０００３】
この特許文献１は、視線入力により操作可能なカメラに関し、撮影者の視線位置を検出する視線検出手段と、カメラの撮影動作に関する現在の設定状態の表示、及び設定状態の変更のための表示をファインダ内に行う表示手段と、視線検出手段により検出された表示手段への撮影者の視線位置に応じてカメラの撮影動作に関する設定状態を変更する制御手段、とを備えた視線入力により操作可能なことを開示する。
【先行技術文献】
【特許文献】
【０００４】
【特許文献１】特開平８−１２２８８７号公報
【発明の概要】
【発明が解決しようとする課題】
【０００５】
上記特許文献１では、例えば測光モードのように測光値を数個の候補から選択する場合はよいが、測光モードよりも頻繁に使用されるパラメータ、例えばＦナンバーやシャッタ速度等の数値を設定する場合には、これら数値を増減するためのマーク、例えば「アップマーク・↑」「ダウンマーク・↓」に視線を向けて注視する手法を取るものとなる。
【０００６】
タッチパネルを用いてパラメータを変更設定する技術であれば、パラメータの数値を見ながらアップ・ダウンマークの表示領域に対応するタッチパネル上の部分にタッチ操作することにより、パラメータの数値を増減するものとなる。  
これに対してアップ・ダウンマークに視線を向けて注視することによりパラメータを変更設定する手法では、アップ・ダウンマークとパラメータの数値とが異なる各位置に表示されるために、アップ・ダウンマークに注視しているときにはパラメータの数値を見ることが出来ず、パラメータ変更の操作性が良くなく、素早くかつ簡単に操作できるものでない。
【０００７】
本発明の目的は、パラメータ変更の操作性が良く、素早くかつ簡単にパラメータ変更設定の操作ができるパラメータ変更装置及び方法を提供することにある。
【課題を解決するための手段】
【０００８】
本発明の主要な局面に係るパラメータ変更装置は、パラメータを表示画面上に表示する表示部と、オペレータの視線方向を検出する視線検出部と、前記視線検出部により検出される前記視線方向に応じた前記表示画面上の視点位置を取得し、前記パラメータの表示位置を前記視点位置に合わせて配置し続けて前記パラメータを変更するパラメータ変更部とを具備する。  
【０００９】
本発明の主要な局面に係るパラメータ変更方法は、パラメータを表示部の表示画面上に表示し、オペレータの視線方向を視線検出部により検出し、前記視線検出部により検出される前記視線方向に応じた前記表示画面上の視点位置を取得し、前記パラメータの表示位置を前記視点位置に合わせて配置し続けて前記パラメータを変更する。
【発明の効果】
【００１０】
本発明によれば、パラメータ変更の操作性が良く、素早くかつ簡単にパラメータ変更設定の操作ができるパラメータ変更装置及び方法を提供できる。
【図面の簡単な説明】
【００１１】
【図１】本発明に係るパラメータ変更装置の第１の実施の形態を適用した撮影装置としてのデジタル一眼レフカメラを示す構成図。
【図２】同カメラにおける背面用液晶モニタの表示画面上に表示されるパラメータとしてのＦナンバー及びシャッタ速度を示す図。
【図３】同カメラにより換算されるＸＹ座標による視線検出の座標を示す模式図。
【図４】同カメラにおけるパラメータとしてのＦナンバー及びシャッタ速度の表示領域（設定値表示領域）を示す図。
【図５】同カメラにおける第２の表示領域としての数値変更（状態切り替え）領域を示す模式図。
【図６】同カメラにおける数値変更（状態切り替え）領域の表示のキャンセルの一例を示す模式図。
【図７】同カメラにおける変更表示領域を示す模式図。
【図８】同カメラにおけるパラメータの強調表示の一例を示す図。
【図９】同カメラの全体動作フローチャート。
【図１０】同カメラにおけるパラメータ（設定値）注視判定フローチャート。
【図１１】同カメラにおける注視点移動判定フローチャート。
【図１２】同カメラにおける数値変更フローチャート。
【図１３】同カメラのパラメータ変更部による変更表示領域の中央部へのパラメータの移動を示す図。
【図１４】同カメラのパラメータ変更部によるオペレータの視点位置（注視点）が変更表示領域中央部に移動したパラメータを含む領域内であるか否かの判定を示す図。
【図１５】同カメラにおけるパラメータ変更部によるオペレータの視点位置（注視点）が増加領域内に在るか否かの判定を示す図。
【図１６】同カメラにおけるパラメータ変更部によるオペレータの視点位置（注視点）が減少領域内に在るか否かの判定を示す図。
【図１７】同カメラにおいてオペレータの視点位置（注視点）が変更キャンセル領域内に移動したことを示す図。
【図１８】同カメラにおいてパラメータ（Ｆナンバー）のキャンセルを示す図。
【図１９】同カメラにおいてオペレータの視点位置（注視点）が値確定領域内に移動したことを示す図。
【図２０】同カメラにおいてはパラメータ（Ｆナンバー）を変更した数値を示す図。
【図２１】本発明に係るパラメータ変更装置の第２の実施の形態を適用したデジタル一眼レフにより表示される変更表示領域を示す模式図。
【図２２】同カメラにおける変更表示領域の変形例を示す図。
【図２３】同カメラにおける数値変更フローチャート。
【図２４】本発明に係るパラメータ変更装置の第３の実施の形態を適用したデジタル一眼レフにより表示される変更表示領域を示す模式図。
【図２５】同カメラにおける数値変更フローチャート。
【図２６】本発明に係るパラメータ変更装置の第４の実施の形態を適用したデジタル一眼レフにより表示される環状のパラメータの数値の表示例を示す図。
【図２７】同カメラにおける変更表示領域を示す模式図。
【図２８】同カメラにおけるパラメータ変更部による減少領域での強調表示を示す図。
【図２９】同カメラにおけるパラメータ変更部による環状のパラメータの回転表示を示す図。
【図３０】同カメラにおけるパラメータ変更部により減少させたパラメータの変更設定を示す図。
【図３１】同カメラにおけるパラメータ変更部による増加領域での強調表示を示す図。
【図３２】同カメラにおけるパラメータ変更部により増加させたパラメータの変更設定を示す図。
【図３３】同カメラにおける数値変更フローチャート。
【図３４】本発明に係るパラメータ変更装置の第５の実施の形態を適用したデジタル一眼レフにより表示される数値変更領域を示す図。
【図３５】同カメラにより表示される値確定領域を示す図。
【図３６】同カメラにより表示される数値変更領域内のＸ軸上のパラメータの数値の一例を示す図。
【図３７】同カメラにおけるパラメータ（設定値）注視判定フローチャート。
【図３８】同カメラにおける数値変更フローチャート。
【発明を実施するための形態】
【００１２】
［第１の実施の形態］  
以下、本発明の第１の実施の形態について図面を参照して説明する。  
図１はパラメータ変更装置を適用した撮像装置としてのデジタル一眼カメラ（以下、カメラと称する）の構成を示す。このカメラ１０は、ボディユニット１００と、例えば交換可能なレンズユニット（レンズ鏡筒）２００と、ライブビュー表示を行うための接眼式の電子ビューファインダ（ＥＶＦユニット）３００と、撮像した画像データを記録するための記録媒体としての記録メディア１３１とから成る。この記録メディア１３１は、例えば通信コネクタ１３０を介してボディユニット１００に接続されている。  
レンズユニット２００は、ボディユニット１００の前面に設けられ、このボディユニット１００に対してレンズマウントを介して着脱自在である。すなわち、レンズユニット２００は、カメラ１０において交換可能である。  
このレンズユニット２００は、各撮影レンズ２１０ａ、２１０ｂと、絞り２０３と、レンズ駆動機構２０４と、絞り駆動機構２０２とから成る。
【００１３】
撮影レンズ２１０ａ、２１０ｂは、レンズ駆動機構２０４内に備えられているＤＣモータの駆動によって光軸ｐ方向に駆動される。絞り２０３は、絞り駆動機構２０２内に備えられているステッピングモータによって駆動される。これら撮影レンズ２１０ａ、２１０ｂと絞り２０３とは、それぞれボディユニット１００側のボディ制御用マイクロコンピュータ１０１により制御される。  
レンズユニット２００には、レンズ制御用マイクロコンピュータ（以下、「Ｌμｃｏｍ」と称する）２０１が設けられている。このＬμｃｏｍ２０１は、ボディ制御用マイクロコンピュータ１０１との間で各種データの授受を行い、レンズ駆動機構２０４や絞り駆動機構２０２を駆動制御する。
【００１４】
一方、ボディユニット１００には、フォーカルプレーン式のシャッタユニット１２０と、各撮影レンズ２１０ａ、２１０ｂを通過した被写体像を光電変換するための撮像素子１１１とが設けられている。これらシャッタユニット１２０と撮像素子１１１とは、光軸ｐ上に設けられている。シャッタユニット１２０は、シャッタ制御駆動回路１２１によってシャッタ開閉動作が行われる。撮像素子１１１は、撮像素子駆動回路１１０により光電変換制御される。なお、この撮像素子駆動回路１１０は、集積回路（ＩＣ）からなる。
【００１５】
被写体からの光束は、各撮影レンズ２１０ａ、２１０ｂからシャッタユニット１２０を通り、撮像素子１１１に結像される。この撮像素子１１１は、撮像素子駆動回路１１０により光電変換制御される。しかるに、撮像素子１１１は、各撮影レンズ２１０ａ、２１０ｂにより結像された被写体像を光電変換してアナログ電気信号に変換する。このアナログ電気信号は、撮像素子駆動回路１１０により画像処理回路１０２において画像処理するためのデジタル電気信号に変換され、さらに画像処理回路１０２による画像処理によって画像信号に変換される。
【００１６】
この画像処理回路１０２は、撮像素子１１１から出力される画像データに対して各種画像処理、例えば色補正処理、ガンマ（γ）補正処理、圧縮処理、この圧縮されている画像データに対する伸張処理などを行う。  
この画像処理回路１０２は、撮像素子１１１から出力される画像データを例えばＪＰＥＧデータに変換する画像処理を行い、当該画像処理した画像データを通信コネクタ１３０を介して記録メディア１３１に保存する。画像処理回路１０２は、撮像素子１１１から出力される画像データをＥＶＦユニット３００においてライブビュー表示するためのビデオ信号に変換処理する。なお、この画像処理回路１０２は、顔検出処理を提供する顔検出エンジンを備える。この画像処理回路１０２は、集積回路（ＩＣ）からなる。この画像処理回路１０２には、一時保存用メモリであるＳＤＲＡＭ（Synchronous Dynamic Random Access Memory）１０３が接続されている。このＳＤＲＡＭ１０３は、画像処理回路１０２により画像処理された画像データを一時的な記憶する記憶領域として用いられる。  
又、画像処理回路１０２には、通信コネクタ１３０と、背面用液晶モニタ（表示部）１４０と、背面液晶用視線検出センサ（視線検出部）１４１と、ＥＶＦユニット３００のＥＶＦ用液晶モニタ３０１及びＥＶＦ用視線検出センサ３０２とが接続されている。
【００１７】
ボディユニット１００には、ボディ制御用マイクロコンピュータ（Ｂμｃｏｍ）１０１が設けられている。このＢμｃｏｍ１０１には、画像処理回路１０２と、シャッタ制御駆動回路１２１と、カメラ操作スイッチ（ＳＷ）１５０と、さらにレンズユニット２００のレンズ駆動機構２０４と、絞り駆動機構２０２とが接続されている。このＢμｃｏｍ１０１は、カメラ操作スイッチ（ＳＷ）１５０からの操作指示を受け、この操作指示に応じて画像処理回路１０２と、シャッタ制御駆動回路１２１と、さらにレンズユニット２００のレンズ駆動機構２０４と絞り駆動機構２０２とを制御する。
【００１８】
記録メディア１３１は、各種の半導体メモリカードや外付けのハードディスクドライブ（ＨＤＤ）等の外部記録媒体である。この記録メディア１３１は、通信コネクタ１３０を介してボディユニット１００と通信可能であり、かつボディユニット１００に対して交換可能に装着される。
【００１９】
Ｂμｃｏｍ１０１は、カメラ１０の全体の動作を制御する制御機能の他、計数機能、モード設定機能、検出機能、判定機能、演算機能等を有し、さらに連写時の撮影間隔を計測するタイマを有する。このＢμｃｏｍ１０１には、通信コネクタ１６０と、シャッタ駆動制御回路１２１等とが接続され、更に、カメラの動作状態を表示出力によって撮影者へ告知するための液晶モニタ１４０と、カメラ操作スイッチ（ＳＷ）１５０と、電源とが接続されている。  
Ｂμｃｏｍ１０１とＬμｃｏｍ２０１とは、レンズユニット２００をボディユニット１００へ装着することにより、通信コネクタ１６０を介して互いに通信可能に電気的接続される。Ｌμｃｏｍ２０１は、Ｂμｃｏｍ１０１に対して従属的に協働してデジタルカメラとして稼動する。
【００２０】
シャッタ駆動制御回路１２１は、シャッタユニット１２０における先幕と後幕との動きを制御すると共に、Ｂμｃｏｍ１０１との間でシャッタの開閉動作を制御する信号と先幕が走行完了時の信号の授受を行う。  
背面用液晶モニタ１４０は、カメラの動作状態を表示出力によってオペレータ（撮影者）へ告知するためのものである。  
背面液晶用視線検出センサ１４１は、オペレータの視線方向を検出する。この背面液晶用視線検出センサ１４１は、オペレータの顔部の画像を受け取り、オペレータの顔部Ｅの少なくとも鼻穴部の有無又は眼部Ｅの瞳位置のいずれか一方又は両方に基づいて視線方向を判定する。視線方向を判定では、例えば基準目線方向を設定し、眼部Ｅの部分における黒目の位置変化、又は白目と黒目の配分による差異が基準目線方向に対して左側、右側、又は前方のいずれかであるのかを判定する。この視線方向を判定では、鼻筋のパターンや鼻の穴、顔部の輪郭パターンを基準に、黒目の位置（又は白目の位置）の変化を見て判定してもよい。あるいは、視線方向を判定では、白目、黒目の基準位置を定め、それとの差異から、どちらを見ているかを判断しても良い。
【００２１】
カメラ操作スイッチ１５０は、例えば撮影動作の実行を指示するレリーズスイッチ、撮影モードを連写モードや通常撮影モードなどに切り替えるモード変更スイッチ、電源のオン・オフを切り替えるパワースイッチなど、オペレータがカメラを操作するために必要な操作ボタン（操作手段）を含むスイッチ群で構成される。
【００２２】
ボディユニット１００には、電池等の電源と、この電源の出力をカメラ１０の各回路ユニットが必要とする電圧に変換して供給する電源回路とが設けられている。  
Ｂμｃｏｍ１０１には、ＥＶＦユニット３００が設けられている。このＥＶＦユニット３００は、ライブビュー表示を行うもので、ＥＶＦ用液晶表示器３０１が設けられている。このＥＶＦ用液晶表示器３０１は、画像処理回路１０２により画像処理された画像信号を入力してライブビュー表示する。
【００２３】
ＥＶＦ用視線検出センサ３０２は、例えばオペレータがＥＶＦユニット３００に表示されるライブビューを覗いているか否かを検出すると共に、オペレータがＥＶＦユニット３００を覗いているときのオペレータの視線方向を検出する。このＥＶＦ用視線検出センサ３０２は、ハーフミラー３０３と、接眼レンズ３０４とを介してオペレータの眼部を検出する。なお、ＥＶＦ用液晶表示器３０１に表示されるライブビュー画像は、ハーフミラー３０３で反射してオペレータの眼部に到達する。
【００２４】
Ｂμｃｏｍ１０１は、プログラムメモリにパラメータ変更プログラムを予め記憶し、このパラメータ変更プログラムを実行することにより、例えばＦナンバーやシャッタ速度等のパラメータ（設定値）を表示部である背面用液晶モニタ１４０の表示画面上に表示させる表示機能と、背面液晶用視線検出センサ１４１から出力される視線検出信号を入力してオペレータの視線方向を検出させる視線検出機能と、この視線検出機能により検出される視線方向に応じた背面用液晶モニタ１４０の表示画面上の視点位置（注視点）を取得し、当該Ｆナンバーやシャッタ速度等のパラメータの表示位置を視点位置（注視点）に合わせて配置し続けてパラメータを変更させる、すなわち、オペレータの視点位置（注視点）の移動に追従させてパラメータを移動させるドラッグ状態を維持し、当該ドラッグ状態において視点位置（注視点）に応じてパラメータを変更する変更機能とを実現させる。  
【００２５】
このドラッグは、オペレータの視点位置（注視点）が背面用液晶モニタ１４０の表示画面上に在り、かつ同オペレータの視点位置（注視点）がパラメータを含む領域上にある状態にオペレータの視点位置（注視点）が移動すると、このオペレータの視点位置（注視点）の移動に追従してパラメータが移動することである。このパラメータの移動位置は、背面用液晶モニタ１４０の表示画面上におけるオペレータの視点位置（注視点）と同一座標上で移動する。
【００２６】
パラメータの変更機能は、例えば背面用液晶モニタ１４０の表示画面上に、パラメータを含む第１の表示領域と、パラメータの変更を可能な状態にするための第２の表示領域とを表示させる表示機能と、視点位置（注視点）が第１の表示領域内から移動して第２の表示領域内にあるか否か判定し、視点位置（注視点）が第２の表示領域内であれば、パラメータを変更するための変更表示領域を表示し、当該変更表示領域内での視点位置（注視点）の移動によりパラメータを変更させることを実現させる。  
【００２７】
変更表示領域は、少なくとも、パラメータを増加するための増加領域と、パラメータを減少するための減少領域と、パラメータの変更を確定するための確定領域とを含み、変更機能は、視点位置（注視点）が第２の表示領域内に入ると、パラメータを変更可能な状態を維持し、ドラッグ状態で視点位置（注視点）が移動して増加領域内に移動するとパラメータを増加し、減少領域内に移動するとパラメータを減少し、確定領域内に移動するとパラメータを確定することを実現させる。
【００２８】
このＢμｃｏｍ１０１は、上記パラメータ変更機能を実現させるためにパラメータ変更部１６０を有する。  
このパラメータ変更部１６０は、例えば背面液晶用視線検出センサ１４１により検出されるオペレータの視線方向を画像処理回路１０２を通して入力し、このオペレータの視線方向に応じた視点位置（注視点）の移動を背面用液晶モニタ１４０の表示画面上に換算し、当該背面用液晶モニタ１４０の表示画面上での視点位置（注視点）が例えばＦナンバーやシャッタ速度等のパラメータを含む領域上から当該パラメータを変更するため領域上に存在し続けることを判定して例えばＦナンバーやシャッタ速度等のパラメータを変更する。すなわち、パラメータ変更部１６０は、背面用液晶モニタ１４０の表示画面上でオペレータの視点位置（注視点）をドラッグ状態で維持し、例えばＦナンバーやシャッタ速度等のパラメータを含む領域上から当該パラメータを変更するため領域上にドラッグ移動してパラメータを変更させるものとなる。
【００２９】
図２は背面用液晶モニタ１４０の表示画面１４０ａ上に風景等の被写体と共に表示されているパラメータ、例えばＦナンバーＦＮ（Ｆ５．６）とシャッタ速度ＳＳ（２００）等とを示す。パラメータ変更部１６０は、オペレータの視点位置（注視点）の移動を検出することによってＦナンバーＦＮ（Ｆ５．６）又はシャッタ速度ＳＳ（２００）等を変更する。なお、ここでは、パラメータとして例えばＦナンバーＦＮ（Ｆ５．６）とシャッタ速度ＳＳ（２００）等とを具体例として挙げているが、これに限らず、各種パラメータの変更に適用できる。
【００３０】
パラメータ変更部１６０は、背面用液晶モニタ１４０の表示画面１４０ａ上でのオペレータの視点位置（注視点）や、ＦナンバーＦＮ、シャッタ速度ＳＳ等の各位置を例えばＸＹ座標上に換算する。  
図３はＸＹ座標による視線検出の座標の模式図を示す。この視線検出座標上には、パラメータとして例えばＦナンバーＦＮやシャッタ速度ＳＳ等を含む第１の表示領域Ｈ１ａ、Ｈ１ｂが形成されている。第１の表示領域Ｈ１ａ内にはＦナンバーＦＮが表示され、第１の表示領域Ｈ１ｂ内にはシャッタ速度ＳＳが表示される。  
これら第１の表示領域Ｈ１ａ、Ｈ１ｂは、図４に示すような座標により示される表示領域（設定値表示領域）を有する。第１の表示領域Ｈ１ａは、ＦナンバーＦＮを表示する領域（Ｆno値設定領域）で、Ｘ座標の開始と終了とがＸａ，Ｘｂであり、Ｙ座標の開始と終了とがＹａ，Ｙｂである。第１の示領域Ｈ１ｂは、シャッタ速度ＳＳを表示する領域（ＳＳ値設定領域）で、Ｘ座標の開始と終了とがＸｃ，Ｘｄであり、Ｙ座標の開始と終了とがＹａ，Ｙｂである。
【００３１】
同視線検出座標上には、背面液晶用視線検出センサ１４１により検出される視線方向に基づく背面用液晶モニタ１４０の表示画面１４０ａ上でのオペレータの視点位置（注視点）Ｒが示される。この注視点Ｒは、Ｘ座標Ｘeye、Ｙ座標Ｙeyeで表される。  
同視線検出座標上には、ライブビュー表示領域ＬＶＤと、背面液晶用視線検出センサ１４１によりオペレータの視線方向を検出可能な範囲、すなわち視線検出範囲ＥＤＲとが形成されている。
【００３２】
同視線検出座標上には、図５に示すようにパラメータの変更を許可するための第２の表示領域としての数値変更（状態切り替え）領域Ｋが形成されている。  
パラメータ変更部１６０は、背面用液晶モニタ１４０の表示画面１４０ａ上に、第１の表示領域Ｈ１ａ、Ｈ１ｂ（第１の表示領域）と、数値変更（状態切り替え）領域Ｋ（第２の表示領域）とを表示する。  
パラメータ変更部１６０は、オペレータの視点位置（注視点）Ｒがドラッグ移動してパラメータとして例えばＦナンバーＦＮやシャッタ速度ＳＳ等を含む第１の表示領域Ｈ１ａ、Ｈ１ｂ内であるか否か判定し、オペレータの視点位置（注視点）Ｒが第１の表示領域Ｈ１ａ、Ｈ１ｂ内であれば、このオペレータの視点位置（注視点）Ｒがドラッグ移動してＦナンバーＦＮやシャッタ速度ＳＳ等を変更するための数値変更（状態切り替え）領域Ｋ内であるか否か判定し、オペレータの視点位置（注視点）Ｒが数値変更（状態切り替え）領域Ｋ内であれば、さらにドラッグ移動を維持した状態で、ＦナンバーＦＮやシャッタ速度ＳＳ等のパラメータを変更するための図７に示すような変更表示領域ＣＤを表示する。  
なお、パラメータ変更部１６０は、オペレータの視点位置（注視点）Ｒが数値変更（状態切り替え）領域Ｋ内であれば、図７に示すような変更表示領域ＣＤを表示するが、オペレータの視点位置（注視点）Ｒが数値変更（状態切り替え）領域Ｋ内にドラッグ移動せずに、例えば図６に示すようにライブビュー表示領域ＬＶＤ内でドラッグ移動すると、ＦナンバーＦＮやシャッタ速度ＳＳ等のパラメータの変更をキャンセルする。
【００３３】
変更表示領域ＣＤは、少なくともＦナンバーＦＮやシャッタ速度ＳＳ等のパラメータを少なくとも増減するための増加領域Ｗと減少領域Ｑとを有する。具体的に変更表示領域ＣＤは、例えばＦナンバーＦＮを変更する場合、当該ＦナンバーＦＮを表示する第１の表示領域Ｈ１ａの左右側（Ｘ軸方向）に増加領域Ｗと減少領域Ｑとが表示され、これと共に第１の表示領域Ｈ１ａの上下側（Ｙ軸方向）に値確定領域ＳＣと変更キャンセル領域ＣＣとが表示されている。すなわち、増加領域Ｗ及び減少領域Ｑの配置方向（Ｘ軸方向）と、値確定領域ＳＣ及び変更キャンセル領域ＣＣの配置方向（Ｙ軸方向）とは、互いに垂直方向の関係にある。
【００３４】
増加領域Ｗは、当該増加領域Ｗに視点位置（注視点）Ｒが在ると、パラメータとして例えばＦナンバーＦＮを増加する。減少領域Ｑは、当該減少領域Ｑに視点位置（注視点）Ｒが在ると、例えばＦナンバーＦＮを減少する。値確定領域ＳＣは、例えばＦナンバーＦＮの変更を確定する。変更キャンセル領域ＣＣは、例えばＦナンバーＦＮの変更をキャンセルする。なお、変更キャンセル領域ＣＣは、必ずしも背面用液晶モニタ１４０の表示画面１４０ａ上に表示するものとは限らず、例えば機械的なボタンとして別途設けても良い。  
増加領域Ｗと減少領域Ｑとは、それぞれ増加、減少する各変化量をそれぞれ可変設定可能である。
【００３５】
パラメータ変更部１６０は、オペレータの視点位置（注視点）Ｒの移動に追従させて、ＦナンバーＦＮ又はシャッタ速度ＳＳ等のパラメータをドラッグ状態で第１の表示領域Ｈ１ａ内から第２の表示領域Ｈ１ｂ内に移動する。  
パラメータ変更部１６０は、オペレータの視点位置（注視点）Ｒが第１の表示領域Ｈ１ａ内から第２の表示領域Ｈ１ｂ内にドラッグ移動する際、すなわち、図３に示す視線検出座標上において、オペレータが第１の表示領域Ｈ１ａ又はＨ１ｂ内を注視し、オペレータの視点位置（注視点）Ｒがドラッグ移動して第１の表示領域Ｈ１ａ又はＨ１ｂ内に所定期間以上在れば、当該第１の表示領域Ｈ１ａ又はＨ１ｂ内の各パラメータ、すなわちＦナンバーＦＮ又はシャッタ速度ＳＳ等を例えば図８に示すように表示形態を変更、例えば強調表示し、当該パラメータの変更に移る。図８に示すパラメータの強調表示は、ＦナンバーＦＮ（Ｆ５．６）の数値を太字としかつフォントを大きくしている。パラメータの表示形態の変更は、強調表示に限らず、表示色や点滅表示等にしてもよい。  
又、変更表示領域はＣＤ、ＦナンバーＦＮ又はシャッタ速度ＳＳ等のパラメータを少なくとも増減するための領域、すなわち増加領域Ｗと減少領域Ｑとを含むので、パラメータ変更部１６０は、当該増加領域Ｗ又は減少領域Ｑに視点位置（注視点）が存在し続けると、ＦナンバーＦＮ又はシャッタ速度ＳＳ等のパラメータを増加又は減少する。  
パラメータ変更部１６０は、オペレータの視点位置（注視点）Ｒが第２の表示領域Ｈ１ｂ内にドラッグ移動すると、パラメータを変更可能な状態を維持し、ドラッグ状態でオペレータの視点位置（注視点）Ｒがドラッグ移動して増加領域Ｗ内に移動するとパラメータを増加し、減少領域Ｑ内にドラッグ移動するとパラメータを減少し、値確定領域ＳＣ内にドラッグ移動するとパラメータを確定する。  
【００３６】
なお、パラメータ変更部１６０は、背面液晶用視線検出センサ１４１から出力される視線検出信号に基づいてオペレータの視線方向を検出し、この視線方向に応じた背面用液晶モニタ１４０の表示画面上での視点位置（注視点）を取得しているが、これに限らず、ＥＶＦ用視線検出センサ３０２から出力される視線検出信号を入力してオペレータの視線方向を検出し、この検出される視線方向に応じたＥＶＦ用液晶表示器３０１の表示画面上の視点位置（注視点）を取得し、Ｆナンバーやシャッタ速度等のパラメータの表示位置を視点位置（注視点）に合わせて配置し続けてパラメータを変更する、すなわち、オペレータの視点位置（注視点）の移動に追従させてパラメータを移動させるドラッグ状態を維持し、当該ドラッグ状態において視点位置（注視点）に応じてパラメータを変更するようにしてもよい。  
【００３７】
［カメラの全体動作］  
次に、上記の如く構成されたカメラ１０の全体動作について図９に示す全体動作フローチャートを参照して説明する。  
Ｂμｃｏｍ１０１は、電源がオンされたことを検出すると（ＳＴＥＰ１）、初期化を行い（ＳＴＥＰ２）、ライブビュー動作を開始する（ＳＴＥＰ３）。このライブビュー動作では、被写体からの光束は、撮影レンズ２１０ａ及び２１０ｂを通って撮像素子１１１に入射する。撮像素子駆動回路１１０は、撮像素子１１１に対して例えば１秒当たり３０枚程度の割合で連続的に露光動作を行い、撮像素子１１１から出力される画像データを画像処理回路１０２に送る。  
【００３８】
この画像処理回路１０２は、撮像素子１１１から出力される画像データを例えばＪＰＥＧデータに変換する画像処理を行い、当該画像処理した画像データを通信コネクタ１３０を介して記録メディア１３１に保存する。又、画像処理回路１０２は、撮像素子１１１から出力される画像データをＥＶＦユニット３００においてライブビュー表示するためのビデオ信号に変換処理する。このＥＶＦユニット３００のＥＶＦ用液晶表示器３０１は、画像処理回路１０２からのビデオ信号を入力すると、このビデオ信号によって被写体の動画像をライブビュー表示する。このＥＶＦ用液晶表示器３０１に表示されるライブビュー画像は、ハーフミラー３０３で反射してオペレータの眼部に到達する。
【００３９】
ＥＶＦ用視線検出センサ３０２は、ライブビュー画像の表示の開始と共に、オペレータがＥＶＦユニット３００に表示されるライブビューを覗いているか否かの検出を開始すると共に、オペレータがＥＶＦユニット３００を覗いているときのオペレータの視線方向の検出を開始する（ＳＴＥＰ４）。  
なお、このとき背面液晶用視線検出センサ１４１も、オペレータの視線方向の検出を開示する。この背面液晶用視線検出センサ１４１は、オペレータの顔部の画像を受け取り、オペレータの顔部Ｅの少なくとも鼻穴部の有無又は眼部Ｅの瞳位置のいずれか一方又は両方に基づいて視線方向を判定する。  
画像処理回路１０２は、撮像素子１１１から出力される画像データに基づいて被写体の輝度値を取得し（ＳＴＥＰ５）、被写体に対する測距及び自動合焦の処理を行い、又画像データに対して各種画像処理、例えば色補正処理、ガンマ（γ）補正処理、圧縮処理、この圧縮されている画像データに対する伸張処理などを行う。
【００４０】
画像処理回路１０２は、画像処理したライブビュー画像に対する露光を設定し（ＳＴＥＰ６）、続いてスチル撮影の露出値としてＦナンバーＦＮやシャッタ速度ＳＳ等のパラメータを決定し、これらＦナンバーＦＮやシャッタ速度ＳＳ等のパラメータを背面用液晶モニタ１４０の表示画面１４０ａ上に表示する（ＳＴＥＰ７）。
【００４１】
パラメータ変更部１６０は、背面液晶用視線検出センサ１４１により検出されるオペレータの視線方向を画像処理回路１０２を通して入力し、このオペレータの視線方向に応じた視点位置（注視点）Ｒを背面用液晶モニタ１４０の表示画面１４０ａ上に換算し、当該背面用液晶モニタ１４０の表示画面１４０ａ上でのオペレータの視点位置（注視点）Ｒを判定する（ＳＴＥＰ８）。  
パラメータ変更部１６０は、オペレータの視点位置（注視点）Ｒがパラメータ（設定値）であるＦナンバーＦＮやシャッタ速度ＳＳ等を含む第１の表示領域Ｈ１ａ、Ｈ１ｂ内であるか否か判定し、当該第１の表示領域Ｈ１ａ、Ｈ１ｂ内であれば、オペレータの視点位置（注視点）ＲがＦナンバーＦＮやシャッタ速度ＳＳ等を変更するための第２の表示領域としての数値変更（状態切り替え）領域Ｋ内であるか否か判定する（ＳＴＥＰ９）。
【００４２】
この判定の結果、オペレータの視点位置（注視点）Ｒが数値変更（状態切り替え）領域Ｋ内であれば、パラメータ変更部１６０は、ＦナンバーＦＮやシャッタ速度ＳＳ等のパラメータを変更するための図７に示すような変更表示領域ＣＤを表示し、ＦナンバーＦＮやシャッタ速度ＳＳ等のパラメータの変更を行う（ＳＴＥＰ１０）。  
この後、Ｂμｃｏｍ１０１は、カメラ操作スイッチ１５０のレリーズスイッチがオンになったか否かを判定し（ＳＴＥＰ１１）、この判定の結果、レリーズスイッチがオンになると、スチル撮影を行う（ＳＴＥＰ１２）。このときＢμｃｏｍ１０１は、レリーズスイッチのオンに応じて画像処理回路１０２と、シャッタ制御駆動回路１２１と、さらにレンズユニット２００のレンズ駆動機構２０４と、絞り駆動機構２０２とを制御することによりスチル撮影を行う。  
レリーズスイッチがオンでなければ、Ｂμｃｏｍ１０１は、電源がオフになったか否かを判定し、電源オフでなければ、上記ＳＴＥＰ５に戻り、電源オフであれば、カメラ１０の動作を終了する。
【００４３】
［パラメータ（設定値）注視判定］  
次に、オペレータの視点位置（注視点）Ｒを判定する（ＳＴＥＰ８）の具体的な動作について図１０に示すパラメータ（設定値）注視判定フローチャートに従って説明する。  
パラメータ変更部１６０は、オペレータがパラメータ（設定値）、例えばＦナンバーＦＮ又はシャッタ速度ＳＳ等を注視している状態を示すフラグ（設定値注視状態フラグ）Ｆａがセットされているか否かを判定する（ＳＴＥＰ１００）。  
すなわち、パラメータ変更部１６０は、背面液晶用視線検出センサ１４１により検出されるオペレータの視線方向を画像処理回路１０２を通して入力し、このオペレータの視線方向に応じた視点位置（注視点）Ｒを背面用液晶モニタ１４０の表示画面１４０ａ上に換算し、当該背面用液晶モニタ１４０の表示画面１４０ａ上でのオペレータの視点位置（注視点）Ｒを判定する。
【００４４】
この判定の結果、オペレータの視点位置（注視点）Ｒが図３に示す第１の表示領域Ｈ１ａ又はＨ１ｂ内に所定期間以上在れば、パラメータ変更部１６０は、設定値注視状態フラグをセットする。一方、オペレータの視点位置（注視点）Ｒが第１の表示領域Ｈ１ａ又はＨ１ｂ内に所定期間以上なければ、パラメータ変更部１６０は、設定値注視状態フラグＦａをセットしない。
【００４５】
オペレータの視点位置（注視点）Ｒが第１の表示領域Ｈ１ａ又はＨ１ｂ内になく、設定値注視状態フラグがセットされていなければ、パラメータ変更部１６０は、上記の通り背面液晶用視線検出センサ１４１により検出されるオペレータの視線方向に基づいて背面用液晶モニタ１４０の表示画面１４０ａ上でのオペレータの視点位置（注視点）Ｒを取得する（ＳＴＥＰ１０１）。
【００４６】
パラメータ変更部１６０は、オペレータの視点位置（注視点）Ｒが第１の表示領域Ｈ１ａ又はＨ１ｂ内に在るか否かを判定する（ＳＴＥＰ１０２）。  
この判定の結果、オペレータの視点位置（注視点）Ｒが第１の表示領域Ｈ１ａ又はＨ１ｂ内に在れば、パラメータ変更部１６０は、設定値領域内カウントを１カウントアップする（ＳＴＥＰ１０３）。一方、オペレータの視点位置（注視点）Ｒが第１の表示領域Ｈ１ａ又はＨ１ｂ内になければ、パラメータ変更部１６０は、設定値領域内カウントをクリアする（ＳＴＥＰ１０４）。
【００４７】
パラメータ変更部１６０は、設定値領域内カウントのカウント値が所定のカウント値以上であるか否かを判定する。すなわち、パラメータ変更部１６０は、オペレータの視点位置（注視点）Ｒが第１の表示領域Ｈ１ａ又はＨ１ｂ内に所定期間以上在るか否かを判定する（ＳＴＥＰ１０５）。  
この判定の結果、オペレータの視点位置（注視点）Ｒが第１の表示領域Ｈ１ａ又はＨ１ｂ内に所定期間以上在れば、パラメータ変更部１６０は、設定値注視状態フラグＦａをセットする（ＳＴＥＰ１０６）。  
パラメータ変更部１６０は、第１の表示領域Ｈ１ａ又はＨ１ｂ内の各パラメータ、すなわちＦナンバーＦＮ又はシャッタ速度ＳＳ等の表示形態を変更、例えば図８に示すように強調表示する（ＳＴＥＰ１０７）。
【００４８】
［注視点移動判定］  
次に、オペレータの視点位置（注視点）Ｒが数値変更（状態切り替え）領域Ｋ内であるか否かの判定（ＳＴＥＰ９）の具体的な動作について図１１に示す注視点移動判定フローチャートに従って説明する。  
パラメータ変更部１６０は、設定値注視状態フラグＦａがセットされているか否かを判定する（ＳＴＥＰ２０１）。  
この判定の結果、設定値注視状態フラグＦａがセットされていれば、パラメータ変更部１６０は、上記の通り背面液晶用視線検出センサ１４１により検出されるオペレータの視線方向に基づいて背面用液晶モニタ１４０の表示画面１４０ａ上でのオペレータの視点位置（注視点）Ｒを取得する（ＳＴＥＰ２０２）。  
パラメータ変更部１６０は、上記同様に、背面液晶用視線検出センサ１４１により検出されるオペレータの視線方向に基づいてオペレータの視点位置（注視点）Ｒを逐次取得し、オペレータの視点位置（注視点）Ｒが第１の表示領域Ｈ１ａ又はＨ１ｂ内から領域外に移動したか否かを判定する（ＳＴＥＰ２０３）。すなわち、パラメータ変更部１６０は、上記同様に、背面液晶用視線検出センサ１４１により検出されるオペレータの視線方向に基づいてオペレータの視点位置（注視点）Ｒを逐次取得し、これら視点位置（注視点）Ｒの移動に従って背面用液晶モニタ１４０の表示画面１４０ａ上に移動する。
【００４９】
この判定の結果、オペレータの視点位置（注視点）Ｒが第１の表示領域Ｈ１ａ又はＨ１ｂの領域外に移動すると、パラメータ変更部１６０は、設定値領域外カウントを１カウントアップする（ＳＴＥＰ２０４）。  
パラメータ変更部１６０は、設定値領域外カウントのカウント値が所定カウント値以上になったか否かを判定する（ＳＴＥＰ２０５）。
【００５０】
この判定の結果、設定値領域外カウントのカウント値が所定カウント値以上でなければ、パラメータ変更部１６０は、オペレータの視点位置（注視点）Ｒが上記図５に示す数値変更（状態切り替え）領域Ｋ内に在るか否かを判定する。すなわち、パラメータ変更部１６０は、オペレータの視点位置（注視点）Ｒが図５に示すように例えば第１の表示領域Ｈ１ａ内の座標（Ｘeye、Ｙeye）から数値変更（状態切り替え）領域Ｋ内の座標（Ｘeye1、Ｙeye1）に移動し、当該数値変更（状態切り替え）領域Ｋ内に所定期間以上在るか否かを判定する（ＳＴＥＰ２０６）。  
この判定の結果、オペレータの視点位置（注視点）Ｒが数値変更（状態切り替え）領域Ｋ内に所定期間以上在れば、パラメータ変更部１６０は、数値変更フラグＦｂをセットする（ＳＴＥＰ２０７）。
【００５１】
一方、オペレータの視点位置（注視点）Ｒが数値変更（状態切り替え）領域Ｋ内に所定期間以上なければ、パラメータ変更部１６０は、オペレータの視点位置（注視点）Ｒが第１の表示領域Ｈ１ａ又はＨ１ｂの領域内に在るか否かを判定する（ＳＴＥＰ２０８）。  
この判定の結果、オペレータの視点位置（注視点）Ｒが第１の表示領域Ｈ１ａ又はＨ１ｂの領域内に在れば、パラメータ変更部１６０は、設定値領域外カウントのカウント値をクリアする（ＳＴＥＰ２０９）。  
又、設定値領域外カウントのカウント値が所定カウント値以上でなければ（ＳＴＥＰ２０５）、パラメータ変更部１６０は、設定値注視状態フラグＦａをクリアし（ＳＴＥＰ２１０）、設定値領域内カウントのカウント値をクリアする（ＳＴＥＰ２１１）。
【００５２】
［数値変更］  
次に、ＦナンバーＦＮやシャッタ速度ＳＳ等のパラメータの変更（ＳＴＥＰ１０）の具体的な動作について図１２に示す数値変更フローチャートに従って説明する。  
パラメータ変更部１６０は、数値変更フラグがセットされているか否かを判定する（ＳＴＥＰ３０１）。なお、パラメータ変更部１６０は、上記ＳＴＥＰ２０７において、オペレータの視点位置（注視点）Ｒが数値変更（状態切り替え）領域Ｋ内に所定期間以上在るとして数値変更フラグＦｂをセットしている。  
この判定の結果、数値変更フラグがセットされていると、パラメータ変更部１６０は、上記図１３に示すような変更表示領域ＣＤを背面用液晶モニタ１４０の表示画面１４０ａに表示し、かつ当該変更表示領域ＣＤの中央部に例えば第１の表示領域Ｈ１ａ内のＦナンバーＦＮの数値を移動する（ＳＴＥＰ３０２）。  
パラメータ変更部１６０は、上記同様に、背面液晶用視線検出センサ１４１により検出されるオペレータの視線方向に基づいて背面用液晶モニタ１４０の表示画面１４０ａ上でのオペレータの視点位置（注視点）Ｒを取得する（ＳＴＥＰ３０３）。
【００５３】
パラメータ変更部１６０は、当該取得したオペレータの視点位置（注視点）Ｒが図１４に示すように変更表示領域ＣＤの中央部に移動したＦナンバーＦＮの数値を含む変更開始領域Ｄａ内であるか否かを判定する（ＳＴＥＰ３０４）。このとき、オペレータの視点位置（注視点）Ｒは、注視点Ｒ（Ｘeye1,Ｙeye1）から変更開始領域Ｄａ内の注視点Ｒ（Ｘeye3,Ｙeye3）に移動している。なお、移動前の注視点Ｒ（Ｘeye1,Ｙeye1）は、図５に示すように数値変更（状態切り替え）領域Ｋ内に在る。  
ここで、パラメータ変更部１６０は、ＳＴＥＰ３０３、３０４を繰り返し、一定期間、オペレータの視点位置（注視点）Ｒが変更開始領域Ｄａ内であるのかを判定する。
【００５４】
上記判定の結果、オペレータの視点位置（注視点）Ｒが変更開始領域Ｄａ内に在れば、パラメータ変更部１６０は、図１４に示すように例えばＦナンバーＦＮの数値を含む第１の表示領域Ｈ１ａを変更表示領域ＣＤの中央部に移動する（ＳＴＥＰ３０５）。  
このようにＦナンバーＦＮ等のパラメータを含む第１の表示領域Ｈ１ａ又はＨ１ｂが変更表示領域ＣＤの中央部に移動したときからパラメータ変更部１６０は、背面用液晶モニタ１４０の表示画面１４０ａ上で、オペレータの視点位置（注視点）Ｒの移動に追従してＦナンバーＦＮ等のパラメータを背面用液晶モニタ１４０の表示画面１４０ａ上で移動させるドラッグ状態を開始する。  
【００５５】
パラメータ変更部１６０は、上記同様に、背面液晶用視線検出センサ１４１により検出されるオペレータの視線方向に基づいて背面用液晶モニタ１４０の表示画面１４０ａ上でのオペレータの視点位置（注視点）Ｒを取得する（ＳＴＥＰ３０６）。  
パラメータ変更部１６０は、オペレータの視点位置（注視点）Ｒが移動して例えば図１５に示すように増加領域Ｗ内に在るか否かを判定する（ＳＴＥＰ３０７）。すなわち、上記背面液晶用視線検出センサ１４１により検出されたオペレータの視点位置（注視点）Ｒが座標（Ｘeye4,Ｙeye4）であって、増加領域Ｗ内に在れば、パラメータ変更部１６０は、オペレータの視点位置（注視点）Ｒが増加領域Ｗ内に在ると判定する。
【００５６】
オペレータの視点位置（注視点）Ｒが増加領域Ｗ内に在れば、パラメータ変更部１６０は、パラメータとして例えばＦナンバーＦＮの数値を増加する（ＳＴＥＰ３０８）。ＦナンバーＦＮの数値は、例えば（Ｆ：２、2.8、４、5.6、８、１１）に設定されていれば、パラメータ変更部１６０は、（Ｆ：２→2.8→４→5.6→８→１１）の順序でＦナンバーＦＮの数値を増加する。なお、パラメータ変更部１６０は、ＦナンバーＦＮの数値が（１１）」に達すると、（２）に戻り、再び（Ｆ：2.8→４→5.6→８→１１）の順序で数値を増加するようにしてもよい。
【００５７】
一方、オペレータの視点位置（注視点）Ｒが増加領域Ｗ内に無ければ、パラメータ変更部１６０は、オペレータの視点位置（注視点）Ｒが移動して例えば図１６に示すように減少領域Ｑ内に在るか否かを判定する（ＳＴＥＰ３０９）。すなわち、上記背面液晶用視線検出センサ１４１により検出されたオペレータの視点位置（注視点）Ｒが座標（Ｘeye5,Ｙeye5）であって、減少領域Ｑ内に在れば、パラメータ変更部１６０は、オペレータの視点位置（注視点）Ｒが減少領域Ｑ内に在ると判定する。
【００５８】
オペレータの視点位置（注視点）Ｒが減少領域Ｑ内に在れば、パラメータ変更部１６０は、パラメータとして例えばＦナンバーＦＮの数値を減少する（ＳＴＥＰ３１０）。ＦナンバーＦＮの数値は、例えば（Ｆ：２、2.8、４、5.6、８、１１）に設定されていれば、パラメータ変更部１６０は、（Ｆ：１１→８→5.6→４→2.8→２）の順序でＦナンバーＦＮの数値を減少する。なお、パラメータ変更部１６０は、ＦナンバーＦＮの数値が（Ｆ２）に達すると、（Ｆ１１）に戻り、再び（Ｆ：８→5.6→４→2.8→２）の順序で数値を減少するようにしてもよい。
【００５９】
パラメータとして例えばＦナンバーＦＮの数値の増加又は減少による変更が終了すると、パラメータ変更部１６０は、上記同様に、背面液晶用視線検出センサ１４１により検出されるオペレータの視線方向に基づいて背面用液晶モニタ１４０の表示画面１４０ａ上でのオペレータの視点位置（注視点）Ｒを取得し、当該オペレータの視点位置（注視点）Ｒが変更キャンセル領域ＣＣ内に在るか否かを判定する（ＳＴＥＰ３１１）。  
この判定の結果、オペレータの視点位置（注視点）Ｒが変更キャンセル領域ＣＣ内に在れば、パラメータ変更部１６０は、パラメータとして例えばＦナンバーＦＮの数値を変更前の数値に戻す（ＳＴＥＰ３１２）。図１７はオペレータの視点位置（注視点）Ｒが変更キャンセル領域ＣＣ内の座標（Ｘeye6,Ｙeye6）に移動したことを示す。図１８は例えばＦナンバーＦＮの数値を変更前の数値Ｆ５．６に戻したことを示す。  
パラメータ変更部１６０は、変更前に戻したＦナンバーＦＮの数値Ｆ５．６を強調表示する。この強調表示は、ＦナンバーＦＮ（Ｆ５．６）の数値を太字としかつフォントを大きくしている。パラメータの強調表示は、太字としかつフォントを大きくするに限らず、表示色や点滅表示等にしてもよい。
【００６０】
一方、オペレータの視点位置（注視点）Ｒが変更キャンセル領域ＣＣ内に無ければ、パラメータ変更部１６０は、オペレータの視点位置（注視点）Ｒが値確定領域ＳＣ内に在るか否かを判定する（ＳＴＥＰ３１３）。  
この判定の結果、オペレータの視点位置（注視点）Ｒが値確定領域ＳＣ内に在れば、パラメータ変更部１６０は、変更したパラメータとして例えばＦナンバーＦＮの数値を確定する（ＳＴＥＰ３１４）。図１９はオペレータの視点位置（注視点）Ｒが値確定領域ＳＣ内の座標（Ｘeye7,Ｙeye7）に移動したことを示す。図２０は例えばＦナンバーＦＮの数値を変更した数値Ｆ２を示す。パラメータ変更部１６０は、変更したＦナンバーＦＮの数値Ｆ２を強調表示する。この強調表示は、ＦナンバーＦＮ（Ｆ５．６）の数値を太字としかつフォントを大きくしている。パラメータの強調表示は、太字としかつフォントを大きくするに限らず、表示色や点滅表示等にしてもよい。
【００６１】
なお、オペレータの視点位置（注視点）Ｒが値確定領域ＳＣ内に無ければ、パラメータ変更部１６０は、上記ＳＴＥＰ３０６に戻る。  
パラメータ変更部１６０は、設定値注視状態フラグＦａをクリアする（ＳＴＥＰ３１５）。  
パラメータ変更部１６０は、設定値領域内カウント及び設定値領域外カウントをクリアする（ＳＴＥＰ３１６）。  
パラメータ変更部１６０は、数値変更フラグＦｂをクリアする（ＳＴＥＰ３１７）。  
パラメータ変更部１６０は、通常の表示の配置、例えば上記図２に示すように背面用液晶モニタ１４０の表示画面１４０ａ上に風景等の被写体と共に、パラメータ、例えばＦナンバーＦＮ（Ｆ５．６）とシャッタ速度ＳＳ（２００）等とを表示する（ＳＴＥＰ３１８）。
【００６２】
このように上記第１の実施の形態によれば、例えばＦナンバーＦＮ又はシャッタ速度ＳＳ等のパラメータ（設定値）を背面用液晶モニタ１４０の表示画面１４０ａ上に表示し、背面液晶用視線検出センサ１４１から出力される視線検出信号に基づいてオペレータの視線方向を検出し、この検出される視線方向に応じた背面用液晶モニタ１４０の表示画面１４０ａ上におけるオペレータの視点位置（注視点）Ｒの移動に基づいてパラメータを変更する。
【００６３】
具体的にパラメータ変更部１６０は、オペレータの視点位置（注視点）ＲがＦナンバーＦＮやシャッタ速度ＳＳ等を含む第１の表示領域Ｈ１ａ、Ｈ１ｂ内であるか否か判定し、当該第１の表示領域Ｈ１ａ、Ｈ１ｂ内であれば、オペレータの視点位置（注視点）Ｒのドラッグ移動によりＦナンバーＦＮやシャッタ速度ＳＳ等のパラメータが当該パラメータを変更するための第２の表示領域としての数値変更（状態切り替え）領域Ｋ内であるか否か判定し、当該数値変更（状態切り替え）領域Ｋ内であれば、ＦナンバーＦＮやシャッタ速度ＳＳ等のパラメータを変更するための変更表示領域ＣＤを表示し、この変更表示領域ＣＤによりＦナンバーＦＮやシャッタ速度ＳＳ等のパラメータの増減等を行う。  
これにより、例えばＦナンバーＦＮやシャッタ速度ＳＳ等のパラメータの数値を注視しながらドラッグ移動して当該パラメータの増減等を行うことができ、パラメータ変更の操作性を良くすることができ、かつ素早くかつ簡単にパラメータの変更の操作ができる。  
増加領域Ｗ及び減少領域Ｑの配置方向（Ｘ軸方向）と、値確定領域ＳＣ及び変更キャンセル領域ＣＣの配置方向（Ｙ軸方向）とは、互いに垂直方向の関係にあるので、オペレータの視線の動かす方向がパラメータの増減で同じになると共に、パラメータの確定、キャンセルで同じになり、例えばＦナンバーＦＮやシャッタ速度ＳＳ等のパラメータの数値の増減と、パラメータの設定変更やキャンセルの操作が分かり易く、誤操作することがなくなる。
【００６４】
［第２の実施の形態］  
次に、本発明の第２の実施の形態について図面を参照して説明する。なお、本第２の実施の形態では、上記第１の実施の形態と同一部分に同一符号を付してその詳しい説明を省略し、相違するところについて説明する。  
図２１はＦナンバーＦＮやシャッタ速度ＳＳ等のパラメータを変更するための変更表示領域ＣＤを示す。この変更表示領域ＣＤは、ライブビュー表示領域ＬＶＤ内に表示されている。この変更表示領域ＣＤ内には、当該変更表示領域ＣＤの中央部に値確定領域ＳＣが表示され、この値確定領域ＳＣの左右側に減少領域Ｑと増加領域Ｗとが表示され、かつ値確定領域ＳＣの上側に変更キャンセル領域ＣＣが表示されている。  
なお、変更表示領域ＣＤは、ライブビュー表示領域ＬＶＤ外又は当該ライブビュー表示領域ＬＶＤの内外を含む領域に設定してもよい。例えば、変更表示領域ＣＤは、図２２に示すようにライブビュー表示領域ＬＶＤの外側にオーバするように配置してもよい。例えば、変更キャンセル領域ＣＣは、ライブビュー表示領域ＬＶＤの外側を囲むように４箇所に配置し、このうち例えば上側の変更キャンセル領域ＣＣは、その一部領域がライブビュー表示領域ＬＶＤにオーバラップして配置されている。
【００６５】
［数値変更］  
次に、上記の如く構成された変更表示領域ＣＤを用いてのパラメータの変更（ＳＴＥＰ１０）の具体的な動作について図２３に示す数値変更フローチャートに従い、上記図１２に示す数値変更フローチャートと相違するＳＴＥＰについて説明する。  
パラメータ変更部１６０は、上記同様に、オペレータの視点位置（注視点）Ｒが変更キャンセル領域ＣＣ内に在るか否かを判定する（ＳＴＥＰ３１１）。  
この判定の結果、オペレータの視点位置（注視点）Ｒが変更キャンセル領域ＣＣ内に無ければ、パラメータ変更部１６０は、オペレータの視点位置（注視点）Ｒが値確定領域ＳＣ内に在るか否かを判定する（ＳＴＥＰ４０２）。
【００６６】
この判定の結果、オペレータの視点位置（注視点）Ｒが値確定領域ＳＣ内に在れば、パラメータ変更部１６０は、決定領域内カウントを「１」カウントアップする（ＳＴＥＰ４０３）。  
一方、オペレータの視点位置（注視点）Ｒが値確定領域ＳＣ内に無ければ、パラメータ変更部１６０は、決定領域内カウントをクリアする（ＳＴＥＰ４０４）。
【００６７】
パラメータ変更部１６０は、決定領域内カウントのカウント値が所定のカウント値以上であるか否かを判定する（ＳＴＥＰ４０５）。すなわち、オペレータが所定時間以上、値確定領域ＳＣを注視することにより、オペレータの視点位置（注視点）Ｒが所定時間以上、値確定領域ＳＣ内に在るか否かを判定する。  
この判定の結果、決定領域内カウントのカウント値が所定のカウント値以上であれば、パラメータ変更部１６０は、変更したパラメータとして例えばＦナンバーＦＮの数値を確定する（ＳＴＥＰ４０６）。  
パラメータ変更部１６０は、上記同様に、上記ＳＴＥＰ３１５〜ＳＴＥＰ３１８を実行する。  
このように上記第２の実施の形態によれば、変更表示領域ＣＤ内に、当該変更表示領域ＣＤの中央部に値確定領域ＳＣを表示し、この値確定領域ＳＣの左右側に減少領域Ｑと増加領域Ｗとを表示し、かつ値確定領域ＳＣの上側に変更キャンセル領域ＣＣを表示しても、上記第１の実施の形態と同様の効果を奏することができる。
【００６８】
［第３の実施の形態］  
次に、本発明の第３の実施の形態について図面を参照して説明する。なお、本第３の実施の形態では、上記第１の実施の形態と同一部分に同一符号を付してその詳しい説明を省略し、相違するところについて説明する。  
図２４は変更表示領域ＣＤの構成を示す。この変更表示領域ＣＤは、減少領域Ｑによるパラメータの減少量と、増加領域Ｗによるパラメータの増加量とにそれぞれ複数の段階を設けている。
【００６９】
減少領域Ｑは、パラメータの減少量に例えば大中小の３段階設け、減少量大の領域Ｑａと、減少量中の領域Ｑｂと、減少量小の領域Ｑｃとが形成されている。減少量大の領域Ｑａでは、例えば−１段／ｓ数値を増加する、換言すれば１段／ｓ数値を減少する。減少量中の領域Ｑｂでは、例えば−０．５段／ｓ数値を増加する、換言すれば０．５段／ｓ数値を減少する。減少量小の領域Ｑｃでは、例えば−０．３３段／ｓ数値を増加する、換言すれば０．３３段／ｓ数値を減少する。  
増加領域Ｗは、パラメータの増加量に例えば大中小の３段階設け、増加量大の領域Ｗａと、増加量中の領域Ｗｂと、増加量小の領域Ｗｃとが形成されている。増加量大の領域Ｑａでは、例えば１段／ｓ数値を増加する。増加量中の領域Ｑｂでは、例えば０．５段／ｓ数値を増加する。減少量小の領域Ｑｃでは、例えば０．３３段／ｓ数値を増加する。  
パラメータ変更部１６０は、オペレータの視点位置（注視点）Ｒが増加領域Ｗ内又は減少領域Ｑ内に入ることにより、パラメータの増加量又は減少量を可変設定した量で増加、減少する。
【００７０】
［数値変更］  
次に、上記の如く構成された変更表示領域ＣＤを用いてのパラメータの変更（ＳＴＥＰ１０）の具体的な動作について図２５に示す数値変更フローチャートに従い、上記図１２に示す数値変更フローチャートと相違するＳＴＥＰについて説明する。  
パラメータ変更部１６０は、上記同様に、背面液晶用視線検出センサ１４１により検出されるオペレータの視線方向に基づいて背面用液晶モニタ１４０の表示画面１４０ａ上でのオペレータの視点位置（注視点）Ｒを取得する（ＳＴＥＰ３０６）。  
パラメータ変更部１６０は、オペレータの視点位置（注視点）Ｒが増加量小の領域Ｗｃ内であるか否かを判定する（ＳＴＥＰ５０１）。この判定の結果、オペレータの視点位置（注視点）Ｒが増加量小の領域Ｗｃ内であれば、パラメータ変更部１６０は、ＦナンバーＦＮやシャッタ速度ＳＳ等のパラメータの数値を例えば０．３３段／ｓ増加する（ＳＴＥＰ５０２）。  
一方、オペレータの視点位置（注視点）Ｒが増加量小の領域Ｗｃ内でなければ、パラメータ変更部１６０は、オペレータの視点位置（注視点）Ｒが増加量中の領域Ｗｂ内であるか否かを判定する（ＳＴＥＰ５０３）。この判定の結果、オペレータの視点位置（注視点）Ｒが増加量小の領域Ｗｃ内であれば、パラメータ変更部１６０は、ＦナンバーＦＮやシャッタ速度ＳＳ等のパラメータの数値を例えば０．５段／ｓ増加する（ＳＴＥＰ５０４）。
【００７１】
一方、オペレータの視点位置（注視点）Ｒが増加量中の領域Ｗｂ内でなければ、パラメータ変更部１６０は、オペレータの視点位置（注視点）Ｒが増加量大の領域Ｗａ内であるか否かを判定する（ＳＴＥＰ５０５）。この判定の結果、オペレータの視点位置（注視点）Ｒが増加量大の領域Ｗａ内であれば、パラメータ変更部１６０は、ＦナンバーＦＮやシャッタ速度ＳＳ等のパラメータの数値を例えば１段／ｓ増加する（ＳＴＥＰ５０６）。
【００７２】
一方、オペレータの視点位置（注視点）Ｒが増加量大の領域Ｗａ内でなければ、パラメータ変更部１６０は、オペレータの視点位置（注視点）Ｒが減少量小の領域Ｑｃ内であるか否かを判定する（ＳＴＥＰ５０７）。この判定の結果、オペレータの視点位置（注視点）Ｒが減少量小の領域Ｑｃ内であれば、パラメータ変更部１６０は、ＦナンバーＦＮやシャッタ速度ＳＳ等のパラメータの数値を例えば−０．３３段／ｓ増加する（ＳＴＥＰ５０８）。
【００７３】
一方、オペレータの視点位置（注視点）Ｒが減少量小の領域Ｑｃ内でなければ、パラメータ変更部１６０は、オペレータの視点位置（注視点）Ｒが減少量中の領域Ｑｂ内であるか否かを判定する（ＳＴＥＰ５０９）。この判定の結果、オペレータの視点位置（注視点）Ｒが減少量中の領域Ｑｂ内であれば、パラメータ変更部１６０は、ＦナンバーＦＮやシャッタ速度ＳＳ等のパラメータの数値を例えば−０．５段／ｓ増加する（ＳＴＥＰ５１０）。
【００７４】
一方、オペレータの視点位置（注視点）Ｒが減少量中の領域Ｑｂ内でなければ、パラメータ変更部１６０は、オペレータの視点位置（注視点）Ｒが減少量大の領域Ｑａ内であるか否かを判定する（ＳＴＥＰ５１１）。この判定の結果、オペレータの視点位置（注視点）Ｒが減少量大の領域Ｑａ内であれば、パラメータ変更部１６０は、ＦナンバーＦＮやシャッタ速度ＳＳ等のパラメータの数値を例えば−１段／ｓ増加する（ＳＴＥＰ５１２）。  
これ以降、パラメータ変更部１６０は、上記同様に、ＳＴＥＰ３１１〜ＳＴＥＰ３１８を実行する。
【００７５】
このように上記第３の実施の形態によれば、変更表示領域ＣＤにおいて、減少領域Ｑによるパラメータの減少量に減少量大の領域Ｑａと、減少量中の領域Ｑｂと、減少量小の領域Ｑｃとを設け、増加領域Ｗに増加量大の領域Ｗａと、増加量中の領域Ｗｂと、増加量小の領域Ｗｃとを設けたので、上記第１の実施の形態と同様の効果を奏することができ、そのうえパラメータの減少量と増加量とをそれぞれ所望の量に設定することができ、例えばＦナンバーＦＮやシャッタ速度ＳＳ等のパラメータを被写体の撮像に最適な数値に変更設定できる。
【００７６】
［第４の実施の形態］  
次に、本発明の第４の実施の形態について図面を参照して説明する。なお、本第４の実施の形態では、上記第１の実施の形態と同一部分に同一符号を付してその詳しい説明を省略し、相違するところについて説明する。  
パラメータ変更部１６０は、変更表示領域ＣＤ内に、複数の一連のパラメータを一覧表示し、かつパラメータを少なくとも増減するための領域を含み、視点位置（注視点）が当該領域内に移動することにより前記複数のパラメータを連動して移動して増減表示し、前記一覧表示される前記複数のパラメータ中から前記視点位置（注視点）に該当する前記パラメータを選択する。  
図２６はパラメータ変更部１６０によるＦナンバーＦＮやシャッタ速度ＳＳ等のパラメータの数値の表示例を示す。このパラメータ変更部１６０は、ＦナンバーＦＮやシャッタ速度ＳＳ等のパラメータの複数の数値を無端に配列したパラメータデータとして記憶する。すなわち、パラメータ変更部１６０は、一連のパラメータの複数の数値を当該数値の大小に従って環状に配列し、これら複数の数値の一部を背面用液晶モニタ１４０の表示画面１４０ａ上に表示する。具体的に、パラメータの複数の数値、例えばＦナンバーＦＮは、（Ｆ：２→2.8→４→5.6→８→１１→２）の配列順序に従って無端の例えば環状に配列されている。
【００７７】
パラメータ変更部１６０は、環状に配列された一連の複数のパラメータ、例えばＦナンバーＦＮの一部を背面用液晶モニタ１４０の表示画面１４０ａ上における変更表示領域ＣＤ内に一覧表示し、これらパラメータを少なくとも増減するための増加領域Ｗ又は減少領域Ｑ上へのオペレータの視点位置（注視点）Ｒに従って連動して移動表示し、この移動表示した一連の複数のパラメータ上でのオペレータの視点位置（注視点）Ｒの移動に基づいてパラメータを選択する、すなわち複数のパラメータ中からオペレータの視点位置（注視点）Ｒに該当するパラメータを選択する。  
この場合、パラメータ変更部１６０は、当該背面用液晶モニタ１４０の表示画面１４０ａ上におけるオペレータの視点位置（注視点）Ｒの移動、すなわち増加領域Ｗ上又は減少領域Ｑ上への移動に従って一連のＦナンバーＦＮ（Ｆ：２→2.8→４→5.6→８→１１→２）を環状の配列順序を保った状態で移動させる。すなわち、一連のＦナンバーＦＮ（Ｆ：２→2.8→４→5.6→８→１１→２）は、環状の配列を保った状態で回転移動する。
【００７８】
パラメータ変更部１６０は、図２６に示す背面用液晶モニタ１４０の表示画面１４０ａ上のパラメータ、例えばＦナンバーＦＮの数値の表示の機能に重ねて、図２７に示す変更表示領域ＣＤの機能を有する。この変更表示領域ＣＤは、ライブビュー表示領域ＬＶＤ内に値確定領域ＳＣを表示し、当該値確定領域ＳＣの下方に増加領域Ｗと、減少領域Ｑと、２つの変更キャンセル領域ＣＣと、選択候補領域Ｊとを表示する。この変更表示領域ＣＤでは、選択候補領域Ｊを中央部に表示し、当該選択候補領域Ｊの両側にそれぞれ増加領域Ｗと減少領域Ｑとを表示し、さらに外側にそれぞれ変更キャンセル領域ＣＣを表示する。  
選択候補領域Ｊは、増加領域Ｗと減少領域Ｑとの間に表示され、当該選択候補領域Ｊ内に在る例えばＦナンバーＦＮやシャッタ速度ＳＳ等のパラメータの数値を変更設定するパラメータの候補とする。  
変更表示領域ＣＤは、図２６に示す環状のパラメータの表示と重なる機能となっている。すなわち、環状に配列された一連の複数のパラメータ例えばＦナンバーＦＮと、変更表示領域ＣＤの値確定領域ＳＣ、増加領域Ｗ、減少領域Ｑ、各変更キャンセル領域ＣＣ、選択候補領域Ｊとは重なる機能となっている。これにより、図２６に示すように環状のパラメータである例えばＦナンバーＦＮの両端部は、それぞれ増加領域Ｗと、減少領域Ｑとが重なる。
【００７９】
パラメータ変更部１６０は、オペレータの視点位置（注視点）Ｒを取得し、このオペレータの視点位置（注視点）Ｒが増加領域Ｗ又は減少領域Ｑのいずれか一方、例えば図２８に示すように減少領域Ｑに在ることを判定すると、図２８に示すように減少領域Ｑに在るパラメータ、ここではＦナンバーＦＮ（Ｆ２．８）の表示形態を変更、例えば強調表示する。この強調表示は、ＦナンバーＦＮ（Ｆ２．８）の数値を太字としかつフォントを大きくしている。このパラメータの表示形態の変更は、表示色や点滅表示等にしてもよい。
【００８０】
パラメータ変更部１６０は、ＦナンバーＦＮ（Ｆ２．８）を強調表示した後、図２９に示すように環状のパラメータ、例えばＦナンバーＦＮをその数値が減少する方向Ｋ１に一定の速度で移動させる。なお、ＦナンバーＦＮ（Ｆ：２、2.8、４、5.6、８、１１、２）は、環状に配置されているので、パラメータ変更部１６０は、当該ＦナンバーＦＮを減少方向Ｋ１に一定の速度で回転移動させるものとなる。
【００８１】
パラメータ変更部１６０は、オペレータの視点位置（注視点）Ｒを取得し、このオペレータの視点位置（注視点）Ｒが環状のパラメータ、例えば図３０に示すＦナンバーＦＮ「Ｆ４」に在ると、当該ＦナンバーＦＮ（４）を強調表示する。続いて、パラメータ変更部１６０は、オペレータの視点位置（注視点）Ｒを取得し、このオペレータの視点位置（注視点）Ｒが値確定領域ＳＣ内にあると、ＦナンバーＦＮを変更前の（Ｆ２．８）から（Ｆ４）に変更する。
【００８２】
パラメータ変更部１６０は、オペレータの視点位置（注視点）Ｒを取得し、このオペレータの視点位置（注視点）Ｒが増加領域Ｗ又は減少領域Ｑのいずれか一方、例えば図３１に示すように増加領域Ｗに在ることを判定すると、図３１に示すように増加領域Ｗに在るパラメータ、ここではＦナンバーＦＮ（Ｆ１．１）を強調表示する。この強調表示は、ＦナンバーＦＮ（Ｆ１．１）の数値を太字としかつフォントを大きくしている。このパラメータの強調表示は、表示色や点滅表示等にしてもよい。
【００８３】
パラメータ変更部１６０は、ＦナンバーＦＮ（Ｆ１．１）を強調表示した後、環状のパラメータ、例えばＦナンバーＦＮをその数値の増加方向に一定の速度で移動させる。  
パラメータ変更部１６０は、オペレータの視点位置（注視点）Ｒを取得し、このオペレータの視点位置（注視点）Ｒが選択候補領域Ｊ内に所定期間以上在ると、当該選択候補領域Ｊ内に在るオペレータの視点位置（注視点）Ｒと一致するＦナンバーＦＮ（Ｆ１１）を強調表示する。  
続いて、パラメータ変更部１６０は、オペレータの視点位置（注視点）Ｒを取得し、このオペレータの視点位置（注視点）Ｒが値確定領域ＳＣ内にあると、上記選択候補領域Ｊ内で強調表示したＦナンバーＦＮ（Ｆ１１）を（Ｆ１６）に変更し、確定する。
【００８４】
次に、パラメータの変更（ＳＴＥＰ１０）の具体的な動作について図３３に示す数値変更フローチャートに従い、上記図１２に示す数値変更フローチャートと相違するＳＴＥＰについて説明する。  
パラメータ変更部１６０は、数値変更フラグがセットされているか否かを判定し（ＳＴＥＰ３０１）、変更表示領域ＣＤの中央部に例えば第１の表示領域Ｈ１ａ内のＦナンバーＦＮの数値を移動し（ＳＴＥＰ３０２）、オペレータの視点位置（注視点）Ｒを取得し（ＳＴＥＰ３０３）、このオペレータの視点位置（注視点）Ｒが図１４に示すように変更表示領域ＣＤの中央部に移動したＦナンバーＦＮの数値を含む変更開始領域Ｄａ内であるか否かを判定する（ＳＴＥＰ３０４）。
【００８５】
オペレータの視点位置（注視点）Ｒが変更開始領域Ｄａ内であると、パラメータ変更部１６０は、例えば図２６に示すように一連のパラメータの複数の数値、例えば無端で環状に配列されたＦナンバーＦＮ（Ｆ：２→2.8→４→5.6→８→１１→２）の一部を背面用液晶モニタ１４０の表示画面１４０ａ上に表示する（ＳＴＥＰ３０５）。
【００８６】
パラメータ変更部１６０は、上記同様に、背面液晶用視線検出センサ１４１により検出されるオペレータの視線方向に基づいて背面用液晶モニタ１４０の表示画面１４０ａ上でのオペレータの視点位置（注視点）Ｒを取得する（ＳＴＥＰ３０６）。  
パラメータ変更部１６０は、オペレータの視点位置（注視点）Ｒが例えば図３１に示すように増加領域Ｗ内に在るか否かを判定する（ＳＴＥＰ３０７）。  
オペレータの視点位置（注視点）Ｒが増加領域Ｗ内に在れば、パラメータ変更部１６０は、図３２に示すように環状のパラメータ、例えばＦナンバーＦＮをその数値の増加方向に一定の速度で移動させる（ＳＴＥＰ６０１）。例えば、パラメータ変更部１６０は、（Ｆ：２→2.8→４→5.6→８→１１）の順序でＦナンバーＦＮの数値を増加する。
【００８７】
一方、オペレータの視点位置（注視点）Ｒが減少領域Ｑ内に在れば、パラメータ変更部１６０は、図２９に示すように環状のパラメータ、例えばＦナンバーＦＮをその数値の減少方向に一定の速度で移動させる（ＳＴＥＰ６０２）。例えば、パラメータ変更部１６０は、（Ｆ：１１→８→5.6→４→2.8→２）の順序でＦナンバーＦＮの数値を減少する。
【００８８】
パラメータ変更部１６０は、上記同様に、オペレータの視点位置（注視点）Ｒが変更キャンセル領域ＣＣ内に在るか否かを判定する（ＳＴＥＰ３１１）。この判定の結果、オペレータの視点位置（注視点）Ｒが変更キャンセル領域ＣＣ内に在れば、パラメータ変更部１６０は、パラメータとして例えばＦナンバーＦＮの数値を変更前の数値に戻す（ＳＴＥＰ３１２）。
【００８９】
一方、オペレータの視点位置（注視点）Ｒが変更キャンセル領域ＣＣ内に無ければ、パラメータ変更部１６０は、オペレータの視点位置（注視点）Ｒが値確定領域ＳＣ内に在るか否かを判定する（ＳＴＥＰ３１３）。  
この判定の結果、オペレータの視点位置（注視点）Ｒが値確定領域ＳＣ内に無ければ、パラメータ変更部１６０は、オペレータの視点位置（注視点）Ｒが選択候補領域Ｊ内に在るか否かを判定する（ＳＴＥＰ６０３）．ここで、選択候補領域Ｊは、上記の通り、増加領域Ｗと減少領域Ｑとの間であって、例えば図２９に示すように例えばＦナンバーＦＮの数値（Ｆ：2.8、４、５．６）が選択候補領域Ｊ内にある。
【００９０】
この判定の結果、オペレータの視点位置（注視点）Ｒが選択候補領域Ｊ内であれば、パラメータ変更部１６０は、続けて、オペレータの視点位置（注視点）Ｒが選択候補領域Ｊ内に在るか否かを判定し（ＳＴＥＰ６０４）、選択候補領域Ｊ内であれば、候補表示領域内カウントを「＋１」カウントアップし（ＳＴＥＰ６０５）、選択候補領域Ｊ内に無ければ、候補表示領域内カウントをクリアする（ＳＴＥＰ６０６）。
【００９１】
パラメータ変更部１６０は、候補表示領域内カウントのカウント値が所定カウント値以上であるか否かを判定する（ＳＴＥＰ６０７）。  
この判定の結果、候補表示領域内カウントのカウント値が所定カウント値以上であれば、パラメータ変更部１６０は、図３０に示すようにオペレータの視点位置（注視点）Ｒのパラメータ、ここではＦナンバーＦＮ（Ｆ４）の表示形態を変更、例えば強調表示する（ＳＴＥＰ６０８）。この表示形態を変更は、ＦナンバーＦＮ（Ｆ４）の数値を太字としかつフォントを大きくしている。このパラメータの表示形態を変更は、上記同様に、表示色や点滅表示等にしてもよい。
【００９２】
パラメータ変更部１６０は、上記同様に、上記ＳＴＥＰ３１５〜ＳＴＥＰ３１８を通ってリターンし、再び、ＳＴＥＰ３１３において、オペレータの視点位置（注視点）Ｒが図３０に示すように値確定領域ＳＣ内に在るか否かを判定する。  
この判定の結果、オペレータの視点位置（注視点）Ｒが値確定領域ＳＣ内に在れば、パラメータ変更部１６０は、上記ＳＴＥＰ６０８において強調表示したＦナンバーＦＮ（Ｆ４）を確定する（ＳＴＥＰ３１４）。  
このように上記第４の実施の形態によれば、ＦナンバーＦＮやシャッタ速度ＳＳ等のパラメータの複数の数値を無端に配列し、これらＦナンバーＦＮやシャッタ速度ＳＳ等のパラメータを環状の配列を保った状態で回転移動してその一部を背面用液晶モニタ１４０の表示画面１４０ａ上に表示するので、上記第１の実施の形態と同様の効果を奏することができる。
【００９３】
［第５の実施の形態］  
次に、本発明の第５の実施の形態について図面を参照して説明する。なお、本第５の実施の形態では、上記第１の実施の形態と同一部分に同一符号を付してその詳しい説明を省略し、相違するところについて説明する。  
Ｂμｃｏｍ１０１のプログラムメモリに記憶されているパラメータ変更プログラムには、パラメータ変更部１６０によって図３４に示すような数値変更領域ＳＷ内に座標軸を表示し、当該座標軸の座標値、例えばＸ軸上の数値を、例えばＦナンバーＦＮやシャッタ速度ＳＳ等のパラメータ変更のための数値として表示させる変更機能が含まれる。  
この数値変更領域ＳＷは、例えばＦナンバーＦＮ（Ｆ５．６）又はシャッタ速度ＳＳ（２００）等のパラメータを変更するための領域である。
従って、パラメータ変更部１６０は、当該パラメータ変更プログラムを実行することにより、数値変更領域ＳＷ内に座標軸を表示し、当該座標軸の座標値をパラメータ変更のための数値として表示させ、かつオペレータの視点位置（注視点）Ｒの移動に合わせてパラメータが数値変更領域ＳＷ内に移動すると、当該視点位置（注視点）Ｒに対応する座標値をパラメータの数値として変更させる。
パラメータ変更部１６０は、オペレータの視点位置（注視点）Ｒが第１の表示領域Ｈ１ａ又はＨ１ｂ内に所定期間以上在るか否かを判定し、オペレータの視点位置（注視点）Ｒが第１の表示領域Ｈ１ａ又はＨ１ｂ内に所定期間以上在れば、図３４に示すような数値変更領域ＳＷを背面用液晶モニタ１４０の表示画面１４０ａ上に表示する。
【００９４】
パラメータ変更部１６０は、オペレータの視点位置（注視点）Ｒを取得し、このオペレータの視点位置（注視点）Ｒが例えばＦナンバーＦＮ（Ｆ５．６）上に在り、図３５に示すようにドラッグ状態で当該ＦナンバーＦＮ（Ｆ５．６）が数値変更領域ＳＷ内に入ると、パラメータの数値を確定するための値確定領域ＳＣを数値変更領域ＳＷの上方に表示する。なお、図３５では変更キャンセル領域ＣＣの図示を省略する。
【００９５】
パラメータ変更部１６０は、例えばＦナンバーＦＮ（Ｆ５．６）が数値変更領域ＳＷ内に入ると、図３６に示すようにＸ軸上の数値をＦナンバーＦＮの数値（１．４、５．６、２２等）として表示し、かつ数値変更領域ＳＷ内にオペレータの視点位置（注視点）ＲのＸ軸上に対応するＦナンバーＦＮの数値、例えば（Ｆ５．０）を表示する。
【００９６】
オペレータの視点位置（注視点）ＲのＸ軸上に対応するＦナンバーＦＮの数値の表示は、Ｘ軸座標の値を利用したが、これに限らず、ＦナンバーＦＮの数値の軸を別途設けるようにしてもよいし、又、図２６に示すようにパラメータの複数の数値、例えばＦナンバーＦＮ（Ｆ：２→2.8→４→5.6→８→１１→２）を配列順序に従って環状に配列し、これらＦナンバーＦＮの一部を数値変更領域ＳＷ内に表示するようにしてもよい。オペレータの視点位置（注視点）ＲのＸ軸上に対応するＦナンバーＦＮの数値は、その表示形態を変更、例えば強調表示してもよい。  
パラメータ変更部１６０は、オペレータの視点位置（注視点）Ｒを取得し、このオペレータの視点位置（注視点）Ｒが数値変更領域ＳＷ内でＸ軸方向に移動すると、当該移動したＸ軸座標上に対応するＦナンバーＦＮの数値に変更可能になる。
【００９７】
［パラメータ（設定値）注視判定］  
次に、オペレータの視点位置（注視点）Ｒを判定する（ＳＴＥＰ８）の具体的な動作について図３７に示すパラメータ（設定値）注視判定フローチャートに従い、上記図１０に示すフローチャートと相違するＳＴＥＰについて説明する。  
パラメータ変更部１６０は、設定値領域内カウントのカウント値が所定のカウント値以上であるか否かを判定する。すなわち、パラメータ変更部１６０は、オペレータの視点位置（注視点）Ｒが第１の表示領域Ｈ１ａ又はＨ１ｂ内に所定期間以上在るか否かを判定する（ＳＴＥＰ１０５）。  
この判定の結果、オペレータの視点位置（注視点）Ｒが第１の表示領域Ｈ１ａ又はＨ１ｂ内に所定期間以上在れば、パラメータ変更部１６０は、設定値注視状態フラグＦａをセットする（ＳＴＥＰ１０６）。
【００９８】
パラメータ変更部１６０は、オペレータの視点位置（注視点）Ｒが第１の表示領域Ｈ１ａ又はＨ１ｂ内に所定期間以上在るか否かを判定し、オペレータの視点位置（注視点）Ｒが第１の表示領域Ｈ１ａ又はＨ１ｂ内に所定期間以上在れば、図３４に示すような数値変更領域ＳＷを背面用液晶モニタ１４０の表示画面１４０ａ上に表示する（ＳＴＥＰ７０１）。
【００９９】
［数値変更］  
次に、ＦナンバーＦＮやシャッタ速度ＳＳ等のパラメータの変更（ＳＴＥＰ１０）の具体的な動作について図３８に示す数値変更フローチャートに従い、上記図１２に示すフローチャートと相違するＳＴＥＰについて説明する。  
パラメータ変更部１６０は、上記同様に、背面液晶用視線検出センサ１４１により検出されるオペレータの視線方向に基づいて背面用液晶モニタ１４０の表示画面１４０ａ上でのオペレータの視点位置（注視点）Ｒを取得する（ＳＴＥＰ３０３）。
【０１００】
パラメータ変更部１６０は、当該取得したオペレータの視点位置（注視点）Ｒ、すなわち図３５に示すようにオペレータの視点位置（注視点）Ｒの移動により例えばＦナンバーＦＮ（Ｆ５．６）がドラッグ状態で移動し、数値変更領域ＳＷ内に在るか否かを判定する（ＳＴＥＰ３０４）。  
この判定の結果、例えばＦナンバーＦＮ（Ｆ５．６）が数値変更領域ＳＷ内に移動していれば、パラメータ変更部１６０は、オペレータの視点位置（注視点）Ｒの移動に従って例えばＦナンバーＦＮ（Ｆ５．６）をドラッグした数値変更領域ＳＷ内に移動する（ＳＴＥＰ７３０）。
【０１０１】
パラメータ変更部１６０は、再び、上記同様に、オペレータの視点位置（注視点）Ｒを取得する（ＳＴＥＰ３０６）。  
例えばＦナンバーＦＮ（Ｆ５．６）がドラッグ状態で数値変更領域ＳＷ内に移動すると、パラメータ変更部１６０は、例えばＦナンバーＦＮ（Ｆ５．６）が数値変更領域ＳＷ内に在ると判定し（ＳＴＥＰ７３１）、続いて、図３６に示すようにＸ軸上にＦナンバーＦＮの数値（１．４、５．６、２２等）を表示し、例えばＦナンバーＦＮの数値を変更可能にする（ＳＴＥＰ７３２）。
【０１０２】
すなわち、パラメータ変更部１６０は、数値変更領域ＳＷ内において、図３６に示すように数値変更領域ＳＷ内にオペレータの視点位置（注視点）Ｒに対応するＸ軸上の数値をＦナンバーＦＮの数値、例えば５．０として表示する。  
パラメータ変更部１６０は、オペレータの視点位置（注視点）Ｒを取得し、このオペレータの視点位置（注視点）Ｒが数値変更領域ＳＷ内でＸ軸方向に移動すると、当該移動したＸ軸座標上に対応するＦナンバーＦＮの数値に変更可能になる。
【０１０３】
この後、パラメータ変更部１６０は、オペレータの視点位置（注視点）Ｒが値確定領域ＳＣ内に在るか否かを判定する（ＳＴＥＰ３１３）。この判定の結果、オペレータの視点位置（注視点）Ｒが値確定領域ＳＣ内に在れば、パラメータ変更部１６０は、変更したパラメータとして例えばＦナンバーＦＮの数値を確定する（ＳＴＥＰ３１４）。  
これ以降、パラメータ変更部１６０は、上記同様に、ＳＴＥＰ３１５乃至ＳＴＥＰ３１８を実行する。
【０１０４】
このように上記第５の実施の形態によれば、例えばＦナンバーＦＮ（Ｆ５．６）又はシャッタ速度ＳＳ（２００）等のパラメータを変更するための数値変更領域ＳＷを表示し、ＦナンバーＦＮ（Ｆ５．６）等のパラメータをドラッグして数値変更領域ＳＷ内に移動すると、当該数値変更領域ＳＷ内にＸ軸上の数値をＦナンバーＦＮの数値として表示し、オペレータの視点位置（注視点）Ｒを数値変更領域ＳＷ内でＸ軸方向に移動することによりＦナンバーＦＮの数値を変更するので、上記第１の実施の形態と同様の効果を奏することができる。
【０１０５】
そのうえ、ＦナンバーＦＮ（Ｆ５．６）又はシャッタ速度ＳＳ（２００）等のパラメータの表示位置と数値変更領域ＳＷとの間隔が短くなるので、オペレータの視点位置（注視点）Ｒの移動によるＦナンバーＦＮ（Ｆ５．６）等のパラメータのドラッグする距離を短くすることができ、変更設定するＦナンバーＦＮ（Ｆ５．６）等のパラメータのドラッグ操作を間違えることなく、簡単かつ容易にすることができる。  
又、数値変更領域ＳＷは、当該領域ＳＷ内でＦナンバーＦＮ（Ｆ５．６）等のパラメータの変更を行うので、オペレータの視点位置（注視点）Ｒの移動を少なくすることが出来る。
【０１０６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
【符号の説明】
【０１０７】
１０：デジタル一眼カメラ（カメラ）、１００：ボディユニット、２００：レンズユニット（レンズ鏡筒）、３００：電子ビューファインダ（ＥＶＦユニット）、１０１：ボディ制御用マイクロコンピュータ（Ｂμｃｏｍ）、１０２：画像処理回路、１０３：ＳＤＲＡＭ、１１０：撮像素子駆動回路、１１１：撮像素子、１２０：シャッタユニット、１２１：シャッタ制御駆動回路、１３０：通信コネクタ、１３１：記録メディア、１４０：背面用液晶モニタ、１４１：背面液晶用視線検出センサ、１５０：カメラ操作スイッチ（ＳＷ）、１６０：パラメータ変更部、２００：レンズユニット、２０１：レンズ制御用マイクロコンピュータ（Ｌμｃｏｍ）、２０２：絞り駆動機構、２０３：絞り、２０４：レンズ駆動機構、２１０ａ，２１０ｂ：撮影レンズ、３０１：ＥＶＦ用液晶モニタ、３０２：ＥＶＦ用視線検出センサ、３０３：ハーフミラー、３０４：接眼レンズ。
【図１】
2015049544.tif 000003
【図２】
2015049544.tif 000004
【図３】
2015049544.tif 000005
【図４】
2015049544.tif 000006
【図５】
2015049544.tif 000007
【図６】
2015049544.tif 000008
【図７】
2015049544.tif 000009
【図８】
2015049544.tif 000010
【図９】
2015049544.tif 000011
【図１０】
2015049544.tif 000012
【図１１】
2015049544.tif 000013
【図１２】
2015049544.tif 000014
【図１３】
2015049544.tif 000015
【図１４】
2015049544.tif 000016
【図１５】
2015049544.tif 000017
【図１６】
2015049544.tif 000018
【図１７】
2015049544.tif 000019
【図１８】
2015049544.tif 000020
【図１９】
2015049544.tif 000021
【図２０】
2015049544.tif 000022
【図２１】
2015049544.tif 000023
【図２２】
2015049544.tif 000024
【図２３】
2015049544.tif 000025
【図２４】
2015049544.tif 000026
【図２５】
2015049544.tif 000027
【図２６】
2015049544.tif 000028
【図２７】
2015049544.tif 000029
【図２８】
2015049544.tif 000030
【図２９】
2015049544.tif 000031
【図３０】
2015049544.tif 000032
【図３１】
2015049544.tif 000033
【図３２】
2015049544.tif 000034
【図３３】
2015049544.tif 000035
【図３４】
2015049544.tif 000036
【図３５】
2015049544.tif 000037
【図３６】
2015049544.tif 000038
【図３７】
2015049544.tif 000039
【図３８】
2015049544.tif 000040